(57)【特許請求の範囲】
【請求項１】
受溝を備えたカム部材が圧縮バネによって所定方向に付勢され、このカム部材が前記圧縮バネのバネ力に抗して閉止位置から思案点を通過して開放位置に揺動すると、引き戸の開放移動の際、引き戸側に設けられた係合ピンが受溝から離脱可能になるとともに、引き戸の閉鎖移動の際、前記係合ピンが前記受溝に係合可能となり、前記カム部材が前記圧縮バネのバネ力に抗して開放位置から思案点を通過して閉止位置に揺動すると、前記係合ピンが前記圧縮バネのバネ力により前記受溝内に保持される引き戸ストッパ機構であって、前記開放位置のカム部材を、補助バネによって前記圧縮バネのバネ力より小さい力で閉止方向に向けて付勢することを特徴とする引き戸ストッパ機構。
【請求項２】
前記補助バネは、一端側がストッパ機構内の固定部分に支持され、他端側が開放位置のカム部材を閉止方向に向けて付勢できるようにされるとともに、引き戸の閉止位置で自由長にあり、引き戸の開放移動に伴って自由長から圧縮した状態になるか、あるいは引き戸の閉止位置で自由長にあり、引き戸の開放移動に伴って自由長から伸張した状態になることを特徴とする請求項１に記載の引き戸ストッパ機構。
【発明の詳細な説明】
【技術分野】
【０００１】
本発明は、例えば引き戸を閉鎖した際、閉鎖位置で引き戸を停止保持させておく引き戸ストッパ機構の改良に関する。
【背景技術】
【０００２】
従来、例えば引き戸を閉鎖した際、引き戸を停止保持させておくストッパ装置として、引き戸側に係合ピンを設けるとともに、戸枠側に圧縮バネで付勢されるカム部材を備えたストッパ装置を設け、引き戸が閉鎖する途中で、係合ピンがカム部材の受溝に係合するようにして、圧縮バネのバネ力に抗してカム部材を閉止方向に揺動させることにより、圧縮バネのバネ力により、係合ピンを受溝内に保持するような技術が知られている。（例えば、特許文献１参照。）
【特許文献１】特開２０００−１３６６７０号公報
【発明の開示】
【発明が解決しようとする課題】
【０００３】
ところで、上記の技術は、圧縮バネで付勢されるカム部材が、思案点を介して閉止方向と開放方向とに揺動可能とされており、カム部材を閉止位置から開放位置へ、あるいは開放位置から閉止位置へ揺動させるためには、圧縮バネのバネ力以上の力を必要とする。ここで、思案点とは、一般的に２つの安定した状態の境界にあって、わずかな力が作用すればどちらかの安定した状態に移行するような領域を指し、具体的には、後述する図３、図４のストッパ機構５０の第１枢支軸３と、バネ支持部材７のピン部７ｐと、第２軸４とが一直線になった時点である（図４（ｂ）の状態に相当）。なお、上記の「２つの安定した状態」とは、図４（ａ）（ｃ）の状態に相当する。以下、本明細書ではこのような境界状態になった時点を思案点と称する。また、受溝内に係合ピンを保持しておく（受溝から係合ピンを外す）ための力は、圧縮バネのバネ力を利用していることになり、例えば引き戸を閉鎖位置で安定した強い力で保持しておこうとすると、圧縮バネの力をあまり弱めることは好ましくなかった。一方、圧縮バネの力をあまり強くし過ぎると、例えば引き戸を閉鎖する際、弱い力で引き戸を閉鎖移動させると、係合ピンがカム部材を押して閉止位置まで揺動させることができず、引き戸を完全に閉めることができないで隙間が生じるという問題があった。
【０００４】
そこで本発明は、引き戸を閉める際に引き戸を弱い力で移動させても完全に閉めることができ、しかもカム部材が閉止位置に揺動した状態では、引き戸が安定した強い力で停止保持されるようにすることを目的とする。
【課題を解決するための手段】
【０００５】
上記目的を達成するため本発明は、受溝を備えたカム部材が圧縮バネによって所定方向に付勢され、このカム部材が前記圧縮バネのバネ力に抗して閉止位置から思案点を通過して開放位置に揺動すると、引き戸の開放移動の際、引き戸側に設けられた係合ピンが受溝から離脱可能になるとともに、引き戸の閉鎖移動の際、前記係合ピンが前記受溝に係合可能となり、前記カム部材が前記圧縮バネのバネ力に抗して開放位置から思案点を通過して閉止位置に揺動すると、前記係合ピンが前記圧縮バネのバネ力により前記受溝内に保持される引き戸ストッパ機構において、前記開放位置のカム部材を、補助バネによって前記圧縮バネのバネ力より小さい力で閉止方向に向けて付勢するようにした。
【０００６】
このように、補助バネにより開放位置のカム部材を閉止方向に向けて付勢することにより、圧縮バネの力を弱めなくても、引き戸の閉鎖移動に伴うカム部材の揺動をより確実ならしめることができ、閉め残りのような不具合が生じにくくなる。また、カム部材が閉止位置に揺動した後は、受溝内の係合ピンは圧縮バネ単独の力で保持されるため安定した状態で保持させることができる。
【０００７】
この際、前記補助バネは、一端側をストッパ機構内の固定部分で支持し、他端側で開放位置のカム部材を閉止方向に向けて付勢できるようにするとともに、引き戸の閉止位置で自由長にあり、引き戸の開放移動に伴って自由長から圧縮した状態になるようにしてもよく、あるいは引き戸の閉止位置で自由長にあり、引き戸の開放移動に伴って自由長から伸張した状態になるようにしてもよい。
【発明の効果】
【０００８】
圧縮バネのバネ力に抗して閉止位置と開放位置とに揺動自在なカム部材の受溝に、引き戸側の係合ピンを係脱自在にした引き戸ストッパ機構において、開放位置におけるカム部材を、補助バネにより圧縮バネのバネ力より小さい力で閉止方向に向けて付勢することにより、引き戸を閉める際に確実に閉めることができるようになり、閉め残りを防止できるとともに、引き戸が閉鎖されたときの停止保持機能を維持することができる。
【発明を実施するための最良の形態】
【０００９】
本発明の実施の形態について添付した図面に基づき説明する。
ここで図１は本発明に係る第１実施例の引き戸ストッパ機構の作用を説明する説明図、図２は本発明に係る第２実施例の引き戸ストッパ機構の作用を説明する説明図、図３は補助バネのない引き戸ストッパ機構の説明図で（ａ）は側面図、（ｂ）は正面図、（ｃ）は背面図、図４は補助バネのない引き戸ストッパ機構の作用を説明する説明図である。
【００１０】
本発明に係る引き戸ストッパ機構は、圧縮バネのバネ力に抗してカム部材を閉止位置と開放位置に揺動自在にしたストッパ機構において、引き戸の停止保持力を高めるため、圧縮バネのバネ力を強めた場合でも、引き戸を閉める際に閉め残り等の不具合が防止できるようにされ、図３に示すようなストッパ機構５０を基本とし、その改良技術として構成されている。
【００１１】
そこで、まず基本となるストッパ機構５０の構成とその作用について、図３及び図４に基づき説明する。
このストッパ機構５０は、図３に示すように、ベース板２ａと左右から立ち上がる側板２ｂとからなるベース体２を備えており、左右の側板２ｂの中間部には窓部ｈが設けられるとともに、左右の側板２ｂの一方側寄りには第１枢支軸３が架け渡され、他方側寄りには第２軸４が架け渡されている。また、ベース板２ａの両側には、取り付け用の孔を備えた取付部２ｔが張り出して設けられている。
【００１２】
そして、前記第１枢支軸３には、カム部材５が枢支されており、このカム部材５の枢支部付近には両側に張り出す円形凸部５ｔが設けられるとともに、このカム部材５には、第１枢支軸３を挿通せしめる長孔５ｈが前記円形凸部５ｔを貫いて設けられ、また、カム部材５の先端側には、略Ｕ字型の受溝６が形成されている。更に、カム部材５の基端側には、二股部５ｍが形成され、この二股部５ｍの二股内には、以下に述べるバネ支持部材７のピン部７ｐが係合している。
【００１３】
前記バネ支持部材７は、略三角台形の頭部に段部ｄを介して幅狭部が連なる略々Ｔ字型の板状部７ａと前記ピン部７ｐを備えており、該ピン部７ｐは、板状部７ａの略三角台形の頭部から両側に張り出してその先端が両側の側板２ｂの窓部ｈを通して外部に露出している。
また、板状部７ａの幅狭部の基端側には、略Ｕ字型の凹溝ｍが形成され、この凹溝ｍによって幅狭部の基端側は二股形状にされている。
【００１４】
そして、この板状部７ａの凹溝ｍは、前記両側板２ｂに架け渡された第２軸４に嵌め込まれており、また、この第２軸４と板状部７ａの段部ｄとの間には、幅狭部の周囲を取り囲む状態で圧縮バネ８が配設されている。そしてこの圧縮バネ８は、バネ支持部材７を介してカム部材５を図３（ａ）の上方に向けて常に付勢している。
このため、カム部材５の上端部に、時計方向まわりに、圧縮バネ８のバネ力以上の力で図３（ａ）の右方に力を加えると、圧縮バネ８が縮むと同時に、バネ支持部材７が凹溝ｍを介して下方にスライドしながらカム部材５は第１枢支軸３周りに揺動し、最終的に、図４（ａ）に示すように、受溝６が右斜め上方に開口する状態まで揺動する。そして、このカム部材５の位置が引き戸の開放位置である。
因みに、図３（ａ）のカム部材５の位置は引き戸の閉止位置である。
【００１５】
以上のようなストッパ機構５０の作用等について、図４に基づき説明する。
図４（ａ）に示すように、引き戸の戸枠側（不図示）にストッパ機構５０が取付けられ、引き戸（不図示）が開放された状態であり、ストッパ機構５０のカム部材５が開放位置にあるとした場合を想定する。この状態で引き戸が閉鎖方向に移動し、引き戸側に取付けられた係合ピン１０が引き戸とともに、図中左方に移動してくる。
【００１６】
係合ピン１０は、カム部材５の受溝６の開口部に当接し、カム部材５を押して更に前進しようとする。すると、カム部材５は第１枢支軸３を中心に左回りに揺動し、それに連れて圧縮バネ８が縮むと同時に、バネ支持部材７が下方にスライドする。
【００１７】
図４（ｂ）に示すように、第１枢支軸３と、バネ支持部材７のピン部７ｐと、第２軸４とが一直線になったときが思案点であり、この点で圧縮バネ８の圧縮量は最大となる。
【００１８】
更に、引き戸側の係合ピン１０が前進すると、カム部材５は圧縮バネ８の復元力によっても押されるようになり、図４（ｃ）に示すような閉止位置まで揺動し、係合ピン１０は受溝６の中に保持される。この際、圧縮バネ８は完全に伸びきっていないため、上方に対する付勢力を有しており、係合ピン１０を受溝６から出そうとしても、圧縮バネ８のバネ力以上の力を引き戸開放側に加えなければ出すことはできない。すなわち、図４（ｂ）における圧縮バネ８の最大圧縮量に対応した力以上の力を与えれば、図４（ｃ）から（ａ）の状態へ、あるいはその逆の（ａ）から（ｃ）の状態へと変化するが、それ以外の場合は、ストッパ機構５０は（ｃ）または（ａ）の状態を安定に保つ。
【００１９】
以上のようなストッパ機構５０において、引き戸を閉める際、係合ピン１０の押圧力が図４（ｂ）における圧縮バネ８の最大圧縮量に対応した力より弱いと、図４（ａ）の状態から図４（ｂ）の状態まで変化させることができず、引き戸は完全に閉まらないで閉め残りが生じる。
そこで本発明は、上記のような不具合を防止するためなされたものである。以下、図１に基づき、本発明の第１構成例について説明する。
【００２０】
この第１構成例のストッパ機構１Ａは、上記のストッパ機構５０の主要構成部品は殆どそのままの状態で利用し、一部の部品を付加したものである。なお、上記の部品等と同一の部品等については、同一の番号を付している。
【００２１】
第１構成例のストッパ機構１Ａは、前記ベース体２のベース板２ａの中央部に孔ｉを穿設すると同時に、ベース板２ａを補助板１１に取り付け、この補助板１１に取付けた補助バネ機構１２の補助バネ１３によってバネ支持部材７を介してカム部材５を閉止側に付勢している。
【００２２】
この補助バネ機構１２は、補助板１１の裏側にネジ等により取付けられる固定板１４と、この固定板１４の中央に形成される孔や補助板１１の孔を通して前記ベース版２ａの孔ｉから出没自在にされるバネ支持シャフト１５を備えており、前記補助バネ１３は、固定板１４とバネ支持シャフト１５頭部の大径部との間に挟装され、バネ支持シャフト１５を前方に付勢している。そして、バネ支持シャフト１５の頭部がバネ支持部材７の頭部に当接するようにするとともに、補助バネ１３による付勢力は、係合ピン１０を介して引き戸を閉める力がカム部材５に加わらない状態では圧縮バネ８によるバネ力を超えてカム部材５を閉止側に揺動させることのない程度で、且つカム部材５の受溝６を係合ピン１０が軽い力で押圧すると、カム部材５が閉止側に揺動を始めるようなバネ力としている。
【００２３】
このため、引き戸が閉まる方向に移動し、図１（ａ）に示すように、係合ピン１０が受溝６の開口部に当接すると、軽い力でカム部材５が第１枢支軸３周りに揺動し、図１（ｂ）の閉止位置まで揺動する。そして、この時点では、バネ支持シャフト１５はバネ支持部材７の頭部から離れた状態にある。なお、バネ支持シャフト１５の最大前進ストロークは、概ね、第１枢支軸３と、バネ支持部材７のピン部７ｐと、第２軸４とが一直線となる思案点付近としており、この点を越すと、バネ支持シャフト１５の頭部とバネ支持部材７の頭部とが離脱するようにしている。この場合は、思案点を過ぎた後は、圧縮バネ８だけの力で図１（ｂ）の状態に向かって変化する。なお、バネ支持シャフト１５の最大前進ストロークは、図１（ｂ）の直前までバネ支持部材７に接するように設定してもよい。この場合は、引き戸が閉まり、図１（ｂ）の状態になる直前まで補助バネ１３の力が作用する。
【００２４】
この範囲にバネ支持シャフト１５の最大前進ストローク量を設定しておけば、図１（ｂ）に示すように、カム部材５が閉止位置まで揺動して、係合ピン１０が受溝６内に保持された状態の保持力は、補助バネ１３のないストッパ機構５０の場合と同様となり、圧縮バネ８単独のバネ力である。
【００２５】
ところで、以上の第１実施例の場合、バネ支持部材７の後側から補助バネ１３で押圧付勢しているが、図２の第２実施例のストッパ機構１Ｂのように、補助バネ１３を直接バネ支持部材７の前側の頭部に連結し、前側から引っ張るようにしても良い。この場合は既存のストッパ機構５０のベース体２を図２の枠体１６に取り付け、この枠体１６とバネ支持部材７間に補助バネ１３を設ける。この場合も補助バネ１３のバネ力は、係合ピン１０を介して引き戸を閉める力がカム部材５に加わらない状態では圧縮バネ８によるバネ力を超えてカム部材５を閉止側に揺動させることのない程度のバネ力である。この場合は、実施例１に較べて基本となるストッパ機構５０の改修がより簡単である。
【００２６】
なお、この第２実施例の場合、図２（ｂ）に示すようなカム部材５が閉止位置に揺動した際、補助バネ１３の付勢力（引張り力）が若干残っているようにすれば、引き戸の停止保持力は圧縮バネ８単独のバネ力以上の力となる。
ところで、図２（ｂ）において補助バネ１３の付勢力（引張り力）が０となるように設定してもよい。この場合は、引き戸の停止保持力は、圧縮バネ８単独のバネ力となる。この範囲に補助バネ１３の長さを設定しておけば、図２（ａ）から（ｂ）へと変化するための力は補助バネ１３の力により軽くなり、かつ引き戸の停止保持力は圧縮バネ８単独のバネ力を下回ることはない。
【００２７】
なお、本発明は以上の実施形態に限定されるものではない。本発明の特許請求の範囲に記載した事項と実質的に同一の構成を有し、同一の作用効果を奏するものは本発明の技術的範囲に属する。例えば、引き戸を閉鎖するときのみならず、引き戸を開放する際、開放位置のストッパ機構として適用するようにしても良い。また本実施例では、引き戸側に係合ピン１０を設け、戸枠側にストッパ機構１Ａ、１Ｂを設けているが、引き戸側にストッパ機構１Ａ、１Ｂを設け、戸枠側に係合ピン１０を設けても良い。また本実施例では、補助バネ１３の一端側をストッパ機構の固定部に固定し、他端側をバネ支持部材７に接続しているが、他端側を引き戸の開閉で可動するカム部材５に接続してもよい。
【産業上の利用可能性】
【００２８】
圧縮バネのバネ力に抗して閉止位置と開放位置とに揺動自在なカム部材を備えた引き戸ストッパ機構において、引き戸を閉める際に確実に閉めることができ、しかも既存の機構を利用しつつ補助バネを付加するという最小限の改造により構成できるため、人が出入りする引き戸のみならず、それ以外の引き戸を含んで広い分野で普及することが期待される。
【図面の簡単な説明】
【００２９】
【図１】本発明に係る第１実施例の引き戸ストッパ機構の作用を説明する説明図
【図２】本発明に係る第２実施例の引き戸ストッパ機構の作用を説明する説明図
【図３】補助バネのない引き戸ストッパ機構の説明図で、（ａ）は側面図、（ｂ）は正面図、（ｃ）は背面図
【図４】補助バネのない引き戸ストッパ機構の作用を説明する説明図
【符号の説明】
【００３０】
１Ａ、１Ｂ…ストッパ機構、２…ベース体、３…第１枢支軸、４…第２軸、５…カム部材、６…受溝、７…バネ支持部材、８…圧縮バネ、１０…係合ピン、１３…補助バネ、５０…ストッパ機構。
【要約】
【課題】  引き戸を閉める際に引き戸を弱い力で移動させても完全に閉めることができ、しかも引き戸が閉まった状態では、安定した状態で強い力で停止保持されるようにする。
【解決手段】  圧縮バネ８で付勢されるカム部材５が、圧縮バネ８のバネ力に抗して閉止位置と開放位置とで揺動自在となり、このカム部材５の受溝６に、引き戸側の係合ピン１０が係脱自在な引き戸ストッパ機構１Ａにおいて、カム部材５が開放位置にある場合に、圧縮バネ８のバネ力より小さい力でカム部材５を閉止方向に向けて付勢する補助バネ１３を設けることにより、引き戸を閉めた際に確実に引き戸が閉まるようにし、また、閉まった状態で、引き戸が強い力で保持されるようにする。
【選択図】      図１【図１】
0004244238.tif 000002
【図２】
0004244238.tif 000003
【図３】
0004244238.tif 000004
【図４】
0004244238.tif 000005